(57)【要約】 【課題】構造が単純で製作、取り付けが容易であり、現在使用中のボルト・ナットに合わせて製作し取り付けることも可能な防錆キャップを提供する。 【解決手段】被締結材料３０と、ナット２０との間に配設される第１の座金４ａには外周部に雄ネジ４ｃが設けられ、ナット２０に被せる第１のキャップ１には第１の座金４ａの雄ネジ４ｃと螺合される雌ネジ部１ａと、第１のキャップ１の内壁１ｂとナット２０との間に注入される注入剤６の注入口１ｃ及び空気抜き口１ｄが設けられ、第２の座金４ｂには外周部に雄ネジ４ｄが設けられ、ボルト頭部１０ａに被せる第２のキャップ２には第２の座金４ｂの雄ネジ４ｄと螺合される雌ネジ部２ａと、第２のキャップ２の内壁２ｂと上記ボルト頭部１０ａとの間に注入される注入剤６の注入口２ｃ及び空気抜き口２ｄが設けられている。【選択図】図１
2017203475.tif 000002
【特許請求の範囲】
【請求項１】
被締結材料の表裏面に露出するボルト・ナットの防錆キャップであって、
上記被締結材料と、ナットの座面との間に配設される第１の座金であって、該第１の座金の外周部に雄ネジが設けられたものと、
上記ナットに被せる第１のキャップであって、
上記第１の座金の雄ネジと螺合される雌ネジ部と、
上記第１のキャップの内壁と上記ナットとの間に注入される注入剤の注入口及び空気抜き口を有するものと、
上記被締結材料と、ボルト頭部の座面との間に配設される第２の座金であって、該第２の座金の外周部に雄ネジが設けられたものと、
上記ボルト頭部に被せる第２のキャップであって、
上記第２の座金の雄ネジと螺合される雌ネジ部と、
上記第２のキャップの内壁と上記ボルトの頭部との間に注入される注入剤の注入口及び空気抜き口を有するものと、
を具備することを特徴とする、ボルト・ナットの防錆キャップ。
【請求項２】
上記第１の座金の雄ネジと螺合される雌ネジを有する防錆キャップ用ナットと、
該防錆キャップ用ナットの該雌ネジに螺合される雌ネジ部を有する第３のキャップであって、
上記第３のキャップの内壁と上記ナットとの間に注入される注入剤の注入口及び空気抜き口を有するものと、
を具備することを特徴とする、請求項１に記載のボルト・ナットの防錆キャップ。
【発明の詳細な説明】
【技術分野】
【０００１】
本発明はボルト・ナットの防錆キャップに関する。 
【背景技術】
【０００２】
機械産業、建設業等では多くのボルト・ナットが使用されているが、その締結機能を保持するために腐食の防止、抑制が大きな課題である。特に、ボルト・ナットが外気等の腐食環境にさらされた状態で使用される場合、その重要性はさらに増大する。
【０００３】
従来からこの課題に対応するために多くの方式が提案されてきた。締結部にキャップを取り付けて腐食を防止する方式も一般に使用されている。例えば、締結部に樹脂系のキャップを固定する方式やキャップを専用のボルトで固定する方式である。しかし、樹脂系のキャップは固定が甘く、外れたり割れたりすることがあり、専用のボルトでキャップを固定する方式はその固定用ボルトが腐食してしまうという問題があった。
【０００４】
また、特許文献１には、橋梁，鉄橋，鋼構造物等のボルト部およびナット部に嵌合する耐腐食性金属被覆プラスチック製防錆キャップに関し、防食効果を発揮することのできる防錆キャップが記載されている。
【先行技術文献】
【特許文献】
【０００５】
【特許文献１】特開平５−３３２３３５号公報
【発明の概要】
【発明が解決しようとする課題】
【０００６】
しかしながら、特許文献１の装置はボルト・ナットに対して防錆キャップを嵌合させて、キャップの内部を発泡体で充満させる方式であり、装置が複雑で製作、取り付けが困難であるという問題があった。
本発明は、締結部の座面の安定を目的としてボルト・ナットに挟み込んで使用される座金に着目し、この座金を利用して座金より上部を一体化した防錆キャップをボルト・ナットの締結部に固定する方式としたものである。この防錆キャップに注入口と空気抜き口を設けることで注入剤を注入し防錆を実現する。
本発明は、構造が単純で製作、取り付けが容易であり、現在使用中のボルト・ナットに合わせて製作し取り付けることも可能な応用範囲の広い防錆キャップを提供することを課題とする。
【課題を解決するための手段】
【０００７】
上記課題を解決するために、請求項１の発明は、被締結材料の表裏面に露出するボルト・ナットの防錆キャップにおいて、被締結材料と、ナットの座面との間に配設される第１の座金であって、第１の座金の外周部に雄ネジが設けられたものと、ナットに被せる第１のキャップであって、第１の座金の雄ネジと螺合される雌ネジ部と、第１のキャップの内壁とナットとの間に注入される注入剤の注入口及び空気抜き口を有するものと、被締結材料と、ボルト頭部の座面との間に配設される第２の座金であって、第２の座金の外周部に雄ネジが設けられたものと、
ボルト頭部に被せる第２のキャップであって、第２の座金の雄ネジと螺合される雌ネジ部と、第２のキャップの内壁と上記ボルトの頭部との間に注入される注入剤の注入口及び空気抜き口を有するものを具備することを特徴とする。
請求項２の発明は、さらに、第１の座金の雄ネジと螺合される雌ネジを有する防錆キャップ用ナットと、防錆キャップ用ナットの該雌ネジに螺合される雌ネジ部を有する第３のキャップであって、第３のキャップの内壁と上記ナットとの間に注入される注入剤の注入口及び空気抜き口を有するものを具備することを特徴とする。
【発明の効果】
【０００８】
本発明の防錆キャップは、ボルト・ナットと被締結材料との間に固定された座金の外周に雄ネジを切って、これに雌ネジを有する防錆キャップを取り付けることにより、容易に外れないものとすることができる。
さらに、防錆キャップの内部に、注入剤例えばコーキング剤等を注入、充填することにより水分・塩分・酸素等を遮断し、確実な腐食防止環境を維持することができる。
【図面の簡単な説明】
【０００９】
【図１】本発明の第１の実施形態を示す模式図である。
【図２】本発明の第２の実施形態を示す模式図である。
【００１０】
以下に、本発明の第１の実施形態について図を用いて説明する。まず、本実施形態の構成について説明する。 
図１に示すように、被締結材料３０と、ナット２０の座面２０ａとの間に配設される第１の座金４ａには外周部に雄ネジ４ｃが設けられている。ナット２０に被せる第１のキャップ１には第１の座金４ａの雄ネジ４ｃと螺合される雌ネジ部１ａと、第１のキャップ１の内壁１ｂとナット２０との間に注入される注入剤６の注入口１ｃ及び空気抜き口１ｄが設けられている。被締結材料３０と、ボルト頭部１０ａの座面１０ｂとの間に配設される第２の座金４ｂには外周部に雄ネジ４ｄが設けられている。ボルト頭部１０ａに被せる第２のキャップ２には第２の座金４ｂの雄ネジ４ｄと螺合される雌ネジ部２ａと、第２のキャップ２の内壁２ｂと上記ボルト頭部１０ａとの間に注入される注入剤６の注入口２ｃ及び空気抜き口２ｄが設けられている。本実施形態では第１のキャップ１及び第２のキャップ２は各々座金４ａ及び座金４ｂに直接螺合にて固定される。
【００１１】
これらの防錆キャップ１、２には各内壁１ｂ、２ｂと、ナット２０及びボルト頭部１０ａとの間に注入される注入剤６の注入口１ｃ、２ｃ及び空気抜き口１ｄ、２ｄが各々設けられていて、ここから注入剤６として例えばコーキング剤を注入して水分・塩分・酸素等を遮断することで腐食防止環境を維持する効果が期待できる。なお、上記注入口及び空気抜き口はいずれも共用とできる。
【００１２】
さらに、防錆キャップに充填された注入剤が固化することにより、ボルト・ナットと防錆キャップとの間に摩擦力が生じ、ゆるみ止め効果も期待できる。
防錆キャップの材質としては、プラスチック・陶磁器・ステンレス等種々の材質が使用でき、材質を選ばない。
注入剤についても目的に合わせて選択可能であり、コンパクトな防錆が可能となる。
本防錆キャップを取り付けたボルト・ナットについては、本防錆キャップの取り換えが容易に行える。
【００１３】
次に、第２の実施形態の構成について説明する。
図２に示すように、第１の座金４ａの雄ネジ４ｃと螺合される雌ネジ５ａを有する防錆キャップ用ナット５と、防錆キャップ用ナット５の雌ネジ５ａに螺合される雄ネジ部３ａを有するロングキャップ３であって、ロングキャップ３の内壁３ｂと上記ナット２０との間に注入される注入剤６の注入口３ｃ及び空気抜き口３ｄを有する。本実施形態では第３のキャップ３は防錆キャップ用ナット５を介して座金４ｃに固定される。
【００１４】
本実施形態の防錆キャップは構造が単純であり、既設の一般のボルト・ナットに対しても容易に取り付けられる。図２に示すように、ナット２０から突き出したボルト１０のネジ部１０ｃが長い場合にもロングキャップを寸法調整して製作するだけで対応可能であり、既設のボルト・ナットの構造変更等は不要であるため、種々のボルト・ナットによる締結部の防錆キャップとして広範囲に応用できる。
【符号の説明】
【００１５】
１      第１の防錆キャップ
１ａ    雌ネジ部
１ｂ    内壁
１ｃ    注入口
１ｄ    空気抜き口
２      第２の防錆キャップ
２ａ    雌ネジ部
２ｂ    内壁
２ｃ    注入口
２ｄ    空気抜き口
３      ロングキャップ
３ａ    雄ネジ部
３ｂ    内壁
３ｃ    注入口
３ｄ    空気抜き口
４ａ    第１の座金
４ｂ    第２の座金
４ｃ、４ｄ  雄ネジ
５      防錆キャップ用ナット
５ａ    雌ネジ  
６      注入剤
１０    ボルト
１０ａ  ボルト頭部
１０ｂ  座面
１０ｃ  ネジ部
２０    ナット
２０ａ  座面
３０    被締結材料
【図１】
2017203475.tif 000003
【図２】
2017203475.tif 000004